(57)【要約】【課題】  複数枚のカード型記録媒体を携帯電話機のカードスロットに着脱するのに便利なように、携帯電話機と共に持ち運ぶことが出来、仕舞いやすく取り出しやすく、しかも安全に保管出来るような、携帯電話機用カード型記録媒体収納ケースを提供する。【解決手段】  複数個のカード型記録媒体が出し入れ可能なケースであり、このケースに携帯電話機に取り付けるための取付手段を設けて成る。前記取付手段には携帯電話機の紐通し孔に取り付けるための接続紐や、携帯電話機に接着させるための収納ケースの壁面に設けた粘着体が用いられる。【選択図】図１
2008023295.tif 000002
【特許請求の範囲】
【請求項１】
複数個のカード型記録媒体が出し入れ可能なケースであって、このケースに携帯電話機に取り付けるための取付手段を設けて成る、携帯電話機用カード型記録媒体収納ケース。
【請求項２】
前記取付手段が携帯電話機の紐通し孔に取り付けるための接続紐である、請求項１に記載の携帯電話機用カード型記録媒体収納ケース。
【請求項３】
更にハンドストラップを備えている、請求項２に記載の携帯電話機用カード型記録媒体収納ケース。
【請求項４】
前記取付手段が、携帯電話機に接着させるための収納ケースの壁面に設けた粘着体である、請求項１に記載の携帯電話機用カード型記録媒体収納ケース。
【請求項５】
前記ケースが引き出し式ケースである、請求項１に記載の携帯電話機用カード型記録媒体収納ケース。
【請求項６】
前記ケースが扉式ケースである、請求項１に記載の携帯電話機用カード型記録媒体収納ケース。
【請求項７】
前記ケースが収納中のカード型記録媒体の飛び出しを防止するための掛止具を備えている、請求項１に記載の携帯電話機用カード型記録媒体収納ケース。
【請求項８】
前記ケースが、閉じた状態のケースに被せてケースが開かないようにするためのキャップを備えている、請求項１に記載の携帯電話機用カード型記録媒体収納ケース。
【発明の詳細な説明】
【技術分野】
【０００１】  この発明は、携帯電話機のいわゆるメモリスロットに着脱して用いる可搬型記録媒体（特にカード型記録媒体）を収納して便利に携帯するための携帯電話機用カード型記録媒体収納ケースに関する。
【背景技術】
【０００２】  近年携帯電話機の性能向上には目を見張るものがある。単なる通話やメール機能に止まらず、ＲＦＩＣタグによる交通パス機能や決済機能、またいわゆるワンセグ放送の受信機能や楽曲ダウンロード再生機能などが当たり前のように備わって来ており、外出中に必要な機能の殆どを携帯電話機で賄う方向に整備されつつある。ＲＦＩＣタグに関しては特開２００１−０９２９３９号による顧客管理方法や特開２００４−２４８７３３号公報によるデータ伝送システムが開示されている。これ等はＲＦＩＣタグに携帯電話機用のストラップを取り付けたものであり、携帯電話機に取り付けて紛失率を低くすることが出来、ＲＦＩＣタグリーダとの間で顧客情報等のデータのやり取りを行なうことが出来て便利であると言うものである。【０００３】  当発明者は携帯電話機で受信した番組やダウンロードした楽曲を、上述のＲＦＩＣタグに保存したり読み出したりして利用出来ないかと思考した。しかしながら特開２００１−０９２９３９号の顧客管理方法や特開２００４−２４８７３３号公報のデータ伝送システムでは、データは主としてＲＦＩＣタグからリーダ側に非接触で伝送されるものであり、その逆の伝送は行なわれていない。また携帯電話機とのデータのやり取りは携帯電話機がリーダを備えていないためにこれを行なうことは不可能である。従って受信した番組やダウンロードした楽曲と言った大容量のデータをＲＦＩＣタグと携帯電話機との間でやり取りすることは全く不可能である。
【特許文献１】特開２００１−０９２９３９号公報
【特許文献２】特開２００４−２４８７３３号公報
【発明の開示】
【発明が解決しようとする課題】
【０００４】  そこで次に受信した番組やダウンロードした楽曲の記録を内蔵メモリに行なうことを考えたが、内蔵メモリの記録容量の問題があり、外部メモリに行なう必要があると言う考えに至った。外部メモリとしてはＳＤ（登録商標）カードやこの小型版のｍｉｎｉやｍｉｃｒｏＳＤ（登録商標）カードなどのカード型記録媒体が上げられるが、これ等を挿着するためのカードスロットを携帯電話機に設けておくのである。【０００５】  確かにこの方式であれば外部メモリがいっぱいになったら新しい外部メモリに差し替えることで、いくらでも記録容量を増やして行くことが可能である。しかしながら複数枚のＳＤ（登録商標）カードなどの管理をどう行なうかが問題となる。またＳＤ（登録商標）カードなどは極めて小さく薄いものである上、電極がむき出しの状態であることなどから、次には保管の問題がクローズアップされて来るのである。【０００６】  この発明は上述したような問題を解決して、複数枚のＳＤ（登録商標）カードなどの外部メモリ（カード型記録媒体）を携帯電話機のカードスロットに着脱するのに便利なように、携帯電話機と共に持ち運ぶことが出来、仕舞いやすく取り出しやすく、しかも安全に保管出来るようにすることを課題とする。
【課題を解決するための手段】
【０００７】  上記課題は、複数個のカード型記録媒体が出し入れ可能なケースであって、このケースに携帯電話機に取り付けるための取付手段を設けて成る、携帯電話機用カード型記録媒体収納ケースとすることにより達成される。【０００８】  このケースは取付手段により携帯電話機に取り付けることが出来るため、携帯電話機と共にメモリを持ち運ぶことが出来る。またケースは複数個のカード型記録媒体を出し入れ可能としたので、複数個のカード型記録媒体を差し替えて使うことが出来、しかもケース内に収納中はケースがカード型記録媒体を保護してくれるため安全である。【０００９】  次に請求項２の発明では、前記取付手段が携帯電話機の紐通し孔に取り付けるための接続紐であるものとしている。例えば複数個のカード型記録媒体の各々に接続紐を取り付けて、この接続紐でカード型記録媒体の各々が帯電話機の紐通し孔に取り付けられる場合を考えると、裸の状態のカード型記録媒体はガチャガチャと互いにぶつかり合ったり携帯電話機とぶつかりあったりすると言う由々しき問題を生ずる。しかしながらこの発明のように接続紐が前記ケースに設けられ、この接続紐によってケースが携帯電話機の紐通し孔に取り付けられている状態、すなわち複数個のカード型記録媒体がケース内に納められている状態では、各々のカード型記録媒体はケースに保護されているため安全である。【００１０】  なお更にハンドストラップを備えているものとしても良い。ハンドストラップによりこのカード型記録媒体収納ケースを携帯電話機共々手から吊すことが出来るのであり、携帯電話機の落下防止延いてはカード型記録媒体収納ケースの落下防止になるのである。【００１１】  次に請求項４の発明では、前記取付手段が携帯電話機に接着させるための収納ケースの壁面に設けた粘着体であるものとしている。この収納ケースの壁面に設けられている粘着体によって、収納ケースを携帯電話機の背面壁などに接着させて取り付けることが出来る。粘着体としては例えばシリコンゴム製の薄板などが用いられる。シリコンゴムの場合には収納ケースの携帯電話機に対する再剥離や再接着が可能である。【００１２】  次に請求項５の発明では、前記ケースが引き出し式ケースであるものとしている。ケースをボックスから引き出してカード型記録媒体の出し入れを行なうのである。【００１３】  あるいは前記ケースが扉式ケースであるものとしても良い。ケースの扉を開けるようにしてカード型記録媒体の出し入れを行なうのである。【００１４】  次に請求項６の発明では、前記ケースが収納中のカード型記録媒体の飛び出しを防止するための掛止具を備えているものとしている。ケースを開けた時にこの掛止具がカード型記録媒体を掛止しているために、不本意な飛び出しを阻止することが出来る。すなわちこの構成によって意識的にカード型記録媒体を取り出したり納めたりする必要が生ずる。【００１５】  同様に前記ケースが、閉じた状態のケースに被せてケースが開かないようにするためのキャップを備えているものとしても良い。キャップを設けたことによりケースが不本意には開かないようにすることが出来、意識してキャップを外すことを行なわない限りケースを開けてカード型記録媒体の出し入れを行なうことは不可能となっている。
【発明の効果】
【００１６】  この発明によれば、ケースが取付手段によって携帯電話機に取り付けることが出来るようになっているため、携帯電話機と共にカード型記録媒体を持ち運ぶことが出来、携帯電話機のメモリスロットに着脱するのが便利である。しかもこのケースには複数枚のカード型記録媒体の出し入れが可能となっているため、複数個のカード型記録媒体を差し替えて使うことが出来る。更にケースを使用しているためにケースへの出し入れは容易であり、収納中はケースがカード型記録媒体を保護してくれるため安全に保管することが出来る。
【発明を実施するための最良の形態】
【００１７】  以下この発明の５種の実施形態に付き図面を参照しつつ説明するが、この発明はこれ等の実施形態にのみ限定されるものではない。すなわちこの発明の思想の範囲内に於いて自由に設計することが出来、これ等もまたこの発明の権利範囲内のものである。【００１８】  第１実施形態
図１及び図２はこの発明の第１実施形態の携帯電話機用カード型記録媒体収納ケースを表わす。このケースには携帯電話機に取り付けるための取付手段としての粘着体がケースの壁面に設けられている点に特徴を有する。なおこの実施形態では２つのメモリが収納出来るように設計されているが、３つ以上を収納し得るように設計変更することも可能である。【００１９】  すなわちこのケースは受皿１に蓋部１０が回動軸１１を以て開閉自在に取り付けられており、受皿１の底部にはシリコンゴム２が設けられているが、このシリコンゴム２はその受皿１の底部側になる面に設けられた突起部２０が受皿１から外部に突出するように受皿１の底部に通孔１３が設けられている（図２）。なお蓋部１０の裏側にはミラー３が取り付けられている（図１）。図２ではこの蓋部１０を省略して描いた。符号１２は前記回動軸１１が入る軸孔を指し、矢線Ｋは携帯電話機の壁面を指す。【００２０】  このケースの使用法は蓋部１０を開けて受皿１のシリコンゴム２の面にメモリＭを粘着させるようにする。またこのケースは受皿１の裏面に突出するシリコンゴム２の突起部２０を以って携帯電話機に粘着させるようにする。すなわちシリコンゴム２はメモリＭを粘着することとケースを携帯電話機に粘着させることとの２つの役目を担うものである。メモリＭはシリコンゴム２に対して着脱自在であることから、ケースへ納めたり取り出したりすることが容易である。またシリコンゴム２は携帯電話機に付いても着脱自在であり、取り付け取り外しが容易である。なおこの実施形態のケースではメモリＭを２つ並べて納めることが出来るようになっている。【００２１】  第２実施形態
次に図３及び図４はこの発明の第２実施形態の携帯電話機用カード型記録媒体収納ケースを表わす。このケースには携帯電話機の紐通しの孔に取り付けるための取付手段としての紐が設けられている点に特徴を有する。ここでは紐はいわゆる松葉糸を採用している。なおこのケースは後述の説明からも分かるように扉式のものであると言うことが出来る。【００２２】  この収納ケース４を展開した状態を図３で表わすが、各々メモリを着脱自在に収容する側壁４１で囲まれた２つの受皿４０，４０が折曲部４５で連結されており、この折曲部４５から折り返して２つの受皿４０，４０を合わせた時に、この折曲部４５とは受皿４０，４０を挟んだ反対側に設けられている合わせ部４６，４８が合わさるように構成されている。また受皿４０，４０には前記折り返しの方向とは直角の方向に蓋部４３，４３が設けられている。この蓋部４３の縁部に設けられた嵌合突起４４は、各々の受皿４０で蓋部４３を閉じた際に、前記側壁４１に設けられた切欠部４２に嵌合するように構成されている。また前記合わせ部４６，４８を合わせた際には、合わせ部４６側の孔部４７に合わせ部４８側の凸部４９が嵌合するように設けられていると共に、前記合わせ部４６側には紐５の金属リングを通すための孔部４００が設けられており、また合わせ部４８側にはこの紐５の金属リングを避けるための溝部４０１が設けられている。更に前記合わせ部４６，４８を合わせた際に、この合わせ部４６，４８に被せるキャップ４０２が設けられている。このキャップ４０２には前記紐５を通すための図示しない孔部が設けられており、キャップ４０２は紐５に沿って移動することが可能である。【００２３】  この収納ケース４を展開した状態では受皿４０にメモリを着脱することが可能である。そしてメモリを納めた後に各々の受皿４０の蓋部４３を閉じ折曲部４５から折り返して蓋部４３同士を合わせ、紐５に沿ってキャップ４０２を下げるようにしてキャップ４０２を合わせ部４６，４８に被せる（図４）。これによって収納ケース４を閉じてこの状態を固定することが出来るのである。なお前記紐５によってこの収納ケース４を携帯電話機から吊すようにすれば良い。このように携帯に便利であり、２つのメモリの出し入れも容易である。【００２４】  第３実施形態
次に図５及び図６はこの発明の第３実施形態の携帯電話機用カード型記録媒体収納ケースを表わす。このケースには携帯電話機の紐通しの孔に取り付けるための取付手段としての紐が設けられていると共に、手を通して落下防止とするためのストラップ５０が設けられている点に特徴を有する。【００２５】  ２つの受皿６，６はヒンジ６０を介して開閉自在に、また掛止具２２，２３によって閉じた状態を固定し得るように設けられている。この２つの受皿６，６の内側の底部には各々シリコンゴム２が設けられている。更に各々の受皿６とシリコンゴム２とを貫くようにして、指先が通る程度の大きさの指孔６１が受皿６側に、また指孔２１がシリコンゴム２側に開孔されている（図５）。【００２６】  このケースの使用法であるが、前記掛止具２２，２３同士の掛合状態を解除して２つの受皿６，６を開き、受皿６のシリコンゴム２の面にメモリＭを粘着させるようにする。メモリＭはシリコンコム２に対して着脱自在であることにより、ケースへ納めたり取り出したりすることが容易である。そしてシリコンゴム２の面からメモリＭを剥離させればメモリＭを受皿６から取り出すことが出来るのであるが、この際に図６で表わしたように指Ｆを前記指孔６１及び指孔２１に差し込んで裏からメモリＭを押すようにすると、メモリＭがシリコンゴム２から剥離して受皿６から容易に取り出すことが出来るのである。なおこの実施形態の受皿６ではメモリＭは１つだけ納めることが出来るようになっているが、これを複数枚とした場合には指孔６１及び指孔２１を設ける位置や形状や数量に付いて工夫すれば良い。【００２７】  第４実施形態
次に図７及び図８はこの発明の第４実施形態の携帯電話機用カード型記録媒体収納ケースを表わす。２つのメモリを納めたり取り出したりするためのケースが引き出し式のものである点に特徴を有する。【００２８】  すなわち紐５を取り付ける孔部７４を有する収納ケース７に対して引出し７０が組み付けられており、この引出し７０の表面にはメモリを納める位置的な目安としての枠線７３が２つ並べて描かれており、この枠線の４辺の各々の中央部分にはメモリを掛止してメモリの飛び出しを防止するための掛止突起７１が設けられており、更に枠線の中央部には指孔７２が開孔されている（図７）。【００２９】  そこで収納ケース７から引出し７０を引き出してメモリを着脱するようにするのであるが、納める時にはメモリを軽く押し込むようにするだけでメモリは掛止突起７１に掛かって止まり、取り出す時には引出し７０の裏側から指を指孔７２に差し込んで裏からメモリを押すようにするとメモリが掛止突起７１から外れて取り出すことが出来るのであり、メモリの着脱は容易である。なお収納ケース７の裏面にはクリーナ８の面が設けられているため（図８を参照）、このクリーナ８を利用することで携帯電話機の表示画面に着いた油汚れやホコリを取ることが出来る。【００３０】  第５実施形態
最後に図９によってこの発明の第５実施形態の携帯電話機用カード型記録媒体収納ケースを説明する。このケースは左右に半割りされて現われるほぼメモリ厚の収容溝にメモリを挿着するように設計されている点と、携帯電話機に取り付けるための取付手段としてのキーホルダー（実際には携帯電話機に取り付けた他のストラップなどに掛止するためのキーホルダー）が設けられている点とに特徴を有する。なお前記収容溝は奥方にもう一つ設けられており、都合２つのメモリＭを納めることが出来るようになっている。【００３１】  ２つの半割ケース９，９０は図９で表わされているように、回動軸９１を以て左右に開閉自在に組み付けられており、閉じた状態では互いの側壁９２，９３が接合するように構成されている。半割ケース９に付いては前記側壁９２から奥方に向けてメモリＭの半分を収容し得る深さの収容溝９４が、図９の奥行き方向に２つ設けられており、この位置に合わせるようにして半割ケース９０側の前記側壁９３から奥方に向けてメモリＭの残りの半分を収容し得る深さの収容溝９５が設けられている。【００３２】  従って収容溝９４にメモリＭを挿すと、メモリＭの半分が納まって残りの半分が収容溝９４から突出するような状態となるが、ここで前記回動軸９１を以って半割ケース９，９０を閉じるように操作すると、前記突出するメモリＭの部分は半割ケース９０側の収容溝９５の中に納まることになるのである。逆にメモリＭを収容溝９５側に挿してから収容溝９４の中に納めるようにすることが可能である。なおこの際図９の収容溝９５の下方の突起が収容溝９４の下方の凹部に填まるようになっている。この実施形態の収納ケースは回動軸９１から半割りすることでメモリＭを着脱することが出来、この操作は容易であると共に、収納ケースを閉じればメモリＭを安全に保管することが出来、前記キーホルダー５１を用いて携帯電話機に取り付ければ携帯電話機と共に持ち運ぶことが出来る。
【産業上の利用可能性】
【００３３】  例えば上述した第５実施形態に於いて閉じた収納ケースをスッポリと覆い得る外ケースを付属させる構成が可能である。これは上述の第２実施形態のキャップ４０２と同様、請求項８で言うキャップであると見ることが出来る。携帯電話機に取り付けるための取付手段に何を用いるかは任意であり、前記ケースにどのようなタイプのものを採用するかは任意である。各々の収容部分にメモリの内容を記すための名入れスペースを設けるようにしても良い。なおこの発明の携帯電話機用カード型記録媒体収納ケースは、上述したＳＤ（登録商標）カードに限られることなく各種規格のカード型記録媒体用に設計することが可能である。
【図面の簡単な説明】
【００３４】
【図１】  第１実施形態の斜視図である。
【図２】  同実施形態の断面図である。
【図３】  第２実施形態の展開図である。
【図４】  同実施形態の部分断面図である。
【図５】  第３実施形態の斜視図である。
【図６】  同実施形態の使用状態説明図である。
【図７】  第４実施形態の説明図である。
【図８】  同実施形態の背面図である。
【図９】  第５実施形態の説明図である。
【符号の説明】
【００３５】１    受皿
１０  蓋部
１１  回動軸
１２  軸孔
１３  通孔
２    シリコンゴム
２０  突起部
２１  指孔
２２  掛止具
２３  掛止具
３    ミラー
４    収納ケース
４０  受皿
４１  側壁
４２  切欠部
４３  蓋部
４４  嵌合突起
４５  折曲部
４６  合わせ部
４７  孔部
４８  合わせ部
４９  凸部
４００孔部
４０１溝部
４０２キャップ
５    紐
５０  ストラップ
５１  キーホルダー
６    受皿
６０  ヒンジ
６１  指孔
７    収納ケース
７０  引出し
７１  掛止突起
７２  指孔
７３  枠線
７４  孔部
８    クリーナー
９    半割ケース
９０  半割ケース
９１  回動軸
９２  側壁
９３  側壁
９４  収容溝
９５  収容溝
【図１】
2008023295.tif 000003
【図２】
2008023295.tif 000004
【図３】
2008023295.tif 000005
【図４】
2008023295.tif 000006
【図５】
2008023295.tif 000007
【図６】
2008023295.tif 000008
【図７】
2008023295.tif 000009
【図８】
2008023295.tif 000010
【図９】
2008023295.tif 000011